(57)【要約】【課題】ピン部材に引き抜き力が作用してもベース部材からピン部材が分離することを防止できる留め具を提供する。【解決手段】この留め具１０は、弾性係合片５７が設けられたベース部材２０と、ベース部材２０に組付けられ弾性係合片５７の弾性変形を規制するピン部材６０とを有し、ベース部材２０は、基部２１と、ピン部材６０を基部裏面側から挿通可能な切欠き部２３と、ピン部材６０を支持する支持部３３とを有し、ピン部材６０は、頭部６１と、基部裏面側から支持部３３に組付けられる組付部６３とを有し、組付部６３は、頭６１が基部表面から突出した状態で、ベース部材裏面に係合して、弾性係合片５７を弾性変形可能とし、頭部６１が切欠き部２３に嵌合した状態で、弾性係合片５７の弾性変形を規制する。【選択図】図１
2017211070.tif 000002
【特許請求の範囲】
【請求項１】
被取付部材に形成された取付孔に挿入されて固定される留め具であって、
前記取付孔の裏側周縁に係合する弾性変形可能な弾性係合片が設けられたベース部材と、
該ベース部材に組付けられ、前記弾性係合片の弾性変形を規制するピン部材とを有し、
前記ベース部材は、前記取付孔の表側に配置される基部と、該基部に形成され、前記ピン部材を、前記基部の裏面側から挿通可能な切欠き部と、前記基部の裏面から延出され、前記ピン部材を支持する支持部とを有しており、
前記ピン部材は、前記切欠き部に嵌合する頭部と、該頭部の裏面側から延出して、前記基部の裏面側から前記支持部に組付けられる組付部とを有し、
該組付部は、前記頭部が前記基部の表面から突出した状態で、前記ベース部材の裏面に係合して、前記弾性係合片を弾性変形可能とし、前記頭部が前記切欠き部に嵌合した状態で、前記弾性係合片の弾性変形を規制することを特徴とする留め具。
【請求項２】
前記組付部は、前記支持部を囲む枠状をなし、
前記支持部は、前記基部の裏面側から見て、前記切欠き部より露出しており、該支持部が前記組付部の内側に挿入され、該支持部に対して前記組付部を、前記基部の裏面側から表面側に向けて押し込み可能に支持する請求項１記載の留め具。
【請求項３】
前記支持部には、その延出方向に延びるリブが設けられており、
前記組付部には、前記リブがスライド可能に挿入されるスリットが設けられている請求項２記載の留め具。
【請求項４】
前記支持部及び／又は前記組付部には、前記ピン部材を前記基部の裏面側から組付ける際に、前記頭部を前記切欠き部の内側に引き寄せる、斜面が設けられている請求項１〜３のいずれか１つに記載の留め具。
【請求項５】
前記頭部の裏面側には、ガイド突部が設けられており、
前記支持部には、前記組付部によって、前記頭部が前記基部の表面から突出した状態で、前記頭部が前記基部の表面側から裏面側に向けて押されたときに、前記ガイド突部を入り込ませてガイドするガイド溝が、前記切欠き部に連通して形成されている請求項１〜４のいずれか１つに記載の留め具。
【請求項６】
前記組付部は、前記頭部が前記基部の表面から突出した状態で、該頭部が前記突出した状態を維持しつつ前記切欠き部に整合するように、前記頭部の、前記基部の表面側から裏面側への押し込み方向に交差する方向にスライド可能に、前記支持部に組付けられている請求項１〜５のいずれか１つに記載の留め具。
【請求項７】
前記ベース部材と前記ピン部材との間には、前記頭部が前記基部の表面から突出した状態で、同頭部が前記切欠き部に整合した状態に保持する、保持手段が設けられている請求項６記載の留め具。
【請求項８】
前記弾性係合片は、前記ベース部材とは別体に設けられた、フランジ部を有するクリップからなり、
前記基部には、前記頭部が前記基部の表面から突出した状態で、前記フランジ部を、前記頭部の、前記基部の表面側から裏面側への押し込み方向に交差する方向から挿入可能とする取付溝が形成されている請求項１〜７のいずれか１つに記載の留め具。
【請求項９】
前記基部には、その一端部に前記切欠き部が形成され、前記切欠き部とは反対側の他端部に、前記取付孔の裏側に係合する引き掛け部が設けられている請求項１〜８のいずれか１つに記載の留め具。
【発明の詳細な説明】
【技術分野】
【０００１】
本発明は、例えば、車両パネル等の被取付部材の取付孔に挿入されて固定される留め具に関する。
【背景技術】
【０００２】
例えば、車両の運転席や助手席には、サンバイザがシャフトを介して回動可能に取付けられている。この場合、サンバイザのシャフトを支持可能な支持部材を、留め具を介して車両パネルの天井付近に固定することが行われれている。
【０００３】
下記特許文献１には、シャフトを支持する支持部を有するブラケットと、該ブラケットに別体で装着される鉄クリップと、ピンとを備えた、サンバイザ支持部材取付構造が記載されている。ブラケットは、その裏面側に鉄クリップが装着されるようになっていると共に、鉄クリップの内側にピンを挿入させるための、挿入孔を有している。また、ピンは、ブラケットに形成された切欠き部に整合する基部と、該基部の裏面側から突出したピン部とを有し、該ピン部の先端部は、断面半円形状をなしている。更に、鉄クリップは、基端部からブラケットの一側に伸びる第１弾性片と、該第１弾性片を挟むように設けられ、基端部から側方に伸びる第２弾性片及び第３弾性片とを有しており、各弾性片は、略Ｌ字状に２回折り返された形状をなしている。
【０００４】
そして、ブラケットの表側から、ピンのピン部を挿入孔を通して鉄クリップ内に挿入し、同ピン部の先端部を、第２弾性片及び第３弾性片の折れ曲がり部に引っ掛けることで、ピンがブラケットに仮保持される。この状態で、ブラケットの引っ掛け爪及び鉄クリップの第１弾性片を、天井パネルの孔に挿入して、その裏側周縁に係止させ、その後、ピンを押し込んで、ピン部を鉄クリップの各弾性片の内側に挿入することで、各弾性片が撓み規制されるので、取付孔にブラケットが本固定される。
【先行技術文献】
【特許文献】
【０００５】
【特許文献１】特開２０１４−１９４２０号公報
【発明の概要】
【発明が解決しようとする課題】
【０００６】
しかし、上記取付構造の場合、ピンに引き抜き力が作用した際に、ピン部の先端部が、鉄クリップの第２弾性片及び第３弾性片の折れ曲がり部に引っ掛かって、ブラケットとピンの分離を防止しているだけなので、ピンがブラケットから抜け外れる可能性がある。
【０００７】
したがって、本発明の目的は、ピン部材に引き抜き力が作用しても、ベース部材からピン部材が分離することを確実に防止することができる、留め具を提供することにある。
【課題を解決するための手段】
【０００８】
上記目的を達成するため、本発明は、被取付部材に形成された取付孔に挿入されて固定される留め具であって、前記取付孔の裏側周縁に係合する弾性変形可能な弾性係合片が設けられたベース部材と、該ベース部材に組付けられ、前記弾性係合片の弾性変形を規制するピン部材とを有し、前記ベース部材は、前記取付孔の表側に配置される基部と、該基部に形成され、前記ピン部材を、前記基部の裏面側から挿通可能な切欠き部と、前記基部の裏面から延出され、前記ピン部材を支持する支持部とを有しており、前記ピン部材は、前記切欠き部に嵌合する頭部と、該頭部の裏面側から延出して、前記基部の裏面側から前記支持部に組付けられる組付部とを有し、該組付部は、前記頭部が前記基部の表面から突出した状態で、前記ベース部材の裏面に係合して、前記弾性係合片を弾性変形可能とし、前記頭部が前記切欠き部に嵌合した状態で、前記弾性係合片の弾性変形を規制することを特徴とする。
【発明の効果】
【０００９】
本発明の留め具においては、ピン部材の組付部が、ベース部材の基部の裏面側から組付けられ、頭部がベース部材の表面から突出した状態で、ベース部材の裏面に係合するようになっているので、ピン部材に、ベース部材の裏面側から表面側に向けて、引き抜かれるような引き抜き力が作用しても、ベース部材からピン部材が分離してしまうことを確実に防止することができる。
【図面の簡単な説明】
【００１０】
【図１】本発明に係る留め具の、一実施形態を示す分解斜視図である。
【図２】同留め具を構成するベース部材の拡大斜視図である。
【図３】同ベース部材の背面図である。
【図４】（Ａ）は同ベース部材の右側面図、（Ｂ）は図３のＡ−Ａ矢示線における拡大断面図である。
【図５】同ベース部材の正面図である。
【図６】同留め具を構成するクリップを示しており、（Ａ）はその拡大斜視図、（Ｂ）は正面図である。
【図７】同留め具を構成するピン部材の拡大斜視図である。
【図８】（Ａ）は同ピン部材の背面図、（Ｂ）は（Ａ）のＢ−Ｂ矢示線における断面図である。
【図９】（Ａ）は同ピン部材の正面図、（Ｂ）は同ピン部材の左側面図である。
【図１０】同留め具において、ベース部材の切欠き部に対してピン部材の頭部を押し込んでいない状態の拡大斜視図である。
【図１１】同留め具において、ベース部材の切欠き部に対してピン部材の頭部を押し込んだ状態の拡大斜視図である。
【図１２】（Ａ）は同留め具において、ベース部材の切欠き部に対してピン部材の頭部を押し込んた状態の説明図、（Ｂ）は（Ａ）のＤ−Ｄ矢示線における断面図、（Ｃ）は（Ａ）のＥ−Ｅ矢示線における断面図である。
【図１３】同留め具の使用工程を示しており、（Ａ）は第１工程を示す説明図、（Ｂ）は第２工程を示す説明図、（Ｃ）は第３工程を示す説明図、（Ｄ）は第４工程を示す説明図、（Ｅ）は第５使用工程を示す説明図である。
【図１４】同留め具の使用工程を示しており、（Ａ）は第６工程を示す説明図、（Ｂ）は第７工程を示す説明図、（Ｃ）は第８工程を示す説明図である。
【図１５】本発明に係る留め具の、他の実施形態を示す分解斜視図である。
【図１６】同留め具において、ベース部材の切欠き部に対してピン部材の頭部を押し込んでいない状態の拡大斜視図である。
【図１７】同留め具において、ベース部材の切欠き部に対してピン部材の頭部を押し込んだ状態の拡大斜視図である。
【図１８】（Ａ）は同留め具において、ベース部材の切欠き部に対してピン部材の頭部を押し込んでいない状態の説明図、（Ｂ）は（Ａ）のＦ−Ｆ矢示線における断面図、（Ｃ）はベース部材の切欠き部に対してピン部材の頭部を押し込んだ状態の、断面説明図である。
【発明を実施するための形態】
【００１１】
以下、図面を参照して、本発明に係る留め具の一実施形態について説明する。
【００１２】
この留め具は、被取付部材に形成された取付孔に挿入されて固定されるものである。この実施形態における留め具１０は、図１４（Ｃ）に示すように、車両の天井パネル等の被取付部材１に形成された取付孔３に挿入固定されて、サンバイザのシャフト５を回転可能に支持するものとなっている。
【００１３】
なお、被取付部材１に形成された取付孔３は、長孔状をなしている。また、被取付部材１としては、例えば、車体パネルや車体フレーム等が挙げられるが、特に限定はされない。更に、本発明の留め具としては、上記被取付部材に、トリムボード、カバー、ガーニッシュ、アシストグリップ、バンパー、ランプ、インシュレータ（防音材）等の取付部材を取付けるために用いてもよく、更に、取付孔の閉塞用等（いわゆるホールプラグ）として用いてもよい。
【００１４】
また、図１２（Ａ），（Ｂ）に示すように、この実施形態における被取付部材１の表側には、トリムボード等の取付部材４が配置されている。すなわち、この実施形態の留め具１０は、サンバイザのシャフト５を支持すると共に、被取付部材１に取付部材４を取付けるためにも用いられる。なお、図１４（Ａ）〜（Ｃ）においては、説明の便宜上、この取付部材４を省略している。
【００１５】
そして、図１に示すように、この実施形態の留め具１０は、取付孔３の表側（ここでは車両の室内側）に配置されるベース部材２０と、該ベース部材２０とは別体で設けられ、取付孔３の裏側周縁に係合する弾性変形可能な弾性係合片５７を有するクリップ５０と、前記ベース部材２０に組付けられて、前記弾性係合片５７の縮径方向の弾性変形を規制するピン部材６０とを有している。
【００１６】
まず、図２〜５を参照してベース部材２０について説明する。
【００１７】
この実施形態のベース部材２０は、一方向に長く伸びる基部２１を有しており、該基部２１は、その裏面２１ａを取付孔３の表側に向けて配置されるようになっている。すなわち、本発明における基部の「裏面」とは、被取付部材の取付孔の表側に向く面を意味している。また、基部２１の長手方向一端部には、ピン部材６０（ここでは後述する頭部６１）を、基部２１の裏面２１ａ側から挿通可能で、同基部２１の縁部に形成された切欠き部２３が形成されている。図５に示すように、この実施形態の切欠き部２３は、基部２１の長手方向一端部の縁部に、その長手方向に直交する方向（幅方向）に伸びる長方形状をなすように切欠かれて形成されている。なお、以下の説明において、「幅方向」とは、基部２１の長手方向に直交する方向を意味する。
【００１８】
更に、基部２１の、切欠き部２３とは反対側の長手方向他端部であって、基部２１の裏面２１ａ側からは、取付孔３の裏側に係合する引き掛け部２５が、基部２１の外方に向けて延出されている。また、図５に示すように、基部２１の表面２１ｂ（裏面２１ａとは反対側）の所定位置には、円形状のシャフト挿通孔２７が形成されており、該シャフト挿通孔２７の裏側周縁からは、シャフト５を回転可能に支持するシャフト支持部２９が斜めに突設されている。更に図２及び図３に示すように、基部２１の裏面２１ａ側であって、切欠き部２３よりも基部２１の他端部側には、切欠き部２３よりも幅狭の凹状をなし、クリップ５０の後述する一対の側部５３，５３が配置される、クリップ配置凹部３１が形成されている。
【００１９】
また、ベース部材２０は、基部２１の裏面２１ａから延出され、前記ピン部材６０を支持する支持部３３を有している。図２及び図３に示すように、この実施形態の支持部３３は、基部２１の裏面２１ａ側から見て、切欠き部２３より露出しており、具体的には、基部２１の裏面２１ａ側であって、前記切欠き部２３の幅方向中央の内周縁部から立ち上がるように延出され、切欠き部２３の内側に位置するように出っ張って、切欠き部２３より露出した突起形状をなしている。そして、図１０及び図１１に示すように、この支持部３３は、ピン部材６０の後述する組付部６３の内側に挿入配置されて、支持部３３に対して組付部６３を、基部２１の裏面２１ａ側から表面２１ｂ側に向けて押し込み可能に支持する。
【００２０】
また、図２及び図４（Ｂ）に示すように、この支持部３３の、切欠き部２３側には、基部２１の平面方向に対して垂直な当接面３４が形成されている。この当接面３４は、図１３（Ｂ）に示すように、支持部３３に支持されたピン部材６０を、基部２１の切欠き部２３とは反対側に押し込んでスライドさせたときに、ピン部材６０の組付部６３に当接して、その位置を規制する（図１３（Ｃ），（Ｅ）参照）。
【００２１】
更に図２及び図４（Ｂ）に示すように、支持部３３の、切欠き部２３とは反対側には、支持部３３の延出方向先端から、基部２１の長手方向他端部側へ向けてテーパ状に傾斜した斜面３５が形成されている。この斜面３５は、図１３（Ａ）に示すように、ピン部材６０を基部２１の裏面２１ａ側から組付ける際に、ピン部材６０の後述する頭部６１をベース部材２０の切欠き部２３の内側に引き寄せるものである（図１３（Ｂ）参照）。
【００２２】
なお、この斜面としては、例えば、ピン部材６０の組付部６３の後述する一対の保持壁６９の内面側に設けてもよく、また、支持部と組付部との両方に斜面を設けてもよく、頭部６１を切欠き部２３の内側に引き寄せることが可能であれば、特に限定はされない。
【００２３】
また、図２や図４（Ｂ）に示すように、支持部３３の、延出方向とは反対側であって、前記切欠き部２３の内周縁部に隣接した位置からは、切欠き部２３に連通するように、所定深さのガイド溝３７が形成されている。図５に示すように、この実施形態では、隔壁３８を介して、支持部３３の幅方向両側に、ガイド溝３７，３７が形成されている。また、図４（Ｂ）に示すように、各ガイド溝３７は、一方の内面３７ａが前記当接面３４と平行な面となっており、他方の内面３７ｂが前記斜面３５と平行な斜面をなしている。
【００２４】
そして、このガイド溝３７は、ピン部材６０の頭部６１がベース部材２０の基部２１の表面２１ｂから突出した状態で、頭部６１が基部２１の表面２１ｂ側から裏面２１ａ側に向けて押されたときに、ピン部材６０の後述するガイド突部７７を入り込ませてガイドするものとなっている（図１３（Ｅ）参照）。なお、図１３（Ｅ）の想像線で示すように、ピン部材６０の頭部６１が斜めに傾いた状態で、基部２１の表面２１ｂ側から裏面側２１ａに向けて押された場合にも、ピン部材６０のガイド突部７７が、ガイド溝３７の内面３７ａ，３７ｂに当接してガイドされる。
【００２５】
また、支持部３３には、その延出方向に延びるリブ３９が設けられている（図２参照）。この実施形態では、支持部３３の、切欠き部２３とは反対側の斜面３５側であって、その幅方向中央に、板状をなしたリブ３９が基部２１の裏面２１ａ側から延出している。図１２（Ｂ），（Ｃ）に示すように、このリブ３９は、ピン部材６０の組付部６３の後述するスリット７１に挿入されて、組付部６３が基部２１の裏面２１ａ側から表面２１ｂ側に押し込まれるときや（図１３（Ａ），（Ｂ）参照）、頭部６１が切欠き部２３に整合する方向に押し込まれるとき（図１３（Ｂ），（Ｃ）参照）、頭部６１が基部２１の表面２１ｂ側から裏面２１ａ側に押し込まれるときに（図１４（Ｂ），（Ｃ）参照）、ピン部材６０のスライドをガイドする。
【００２６】
また、図２及び図４（Ｂ）に示すように、リブ３９の両側面であって、基部２１の裏面２１ａ側の端部には、凸状をなした保持突部４１がそれぞれ突設されている。この保持突部４１には、ピン部材６０の頭部６１が基部２１の表面２１ｂから突出した状態で、その突出した状態を維持しつつ、該頭部６１が基部２１の切欠き部２３に整合するように、基部２１と平行な方向に押し込まれてスライドしたときに（図１３（Ｂ），（Ｃ）参照）、ピン部材６０の組付部６３の後述する保持壁６９が係合して、その状態が保持されるようになっている（図１３（Ｅ）参照）。
【００２７】
更に図２に示すように、基部２１の切欠き部２３の幅方向両側の内面からは、前記リブ３９に向けて、突条をなした一対のクリップ取付部４３，４３が突設されている。また、図２及び図４（Ａ）に示すように、切欠き部２３の内側であって、前記クリップ取付部４３の切欠き部２３側の端面からは、取付溝４５，４５が、基部２１の長手方向に沿って所定長さで、切欠き部２３に連通するようにそれぞれ形成されている。この切欠き部２３，２３は、図１３（Ｃ）に示すように、ピン部材６０の頭部６１が基部２１の表面２１ｂから突出した状態で、クリップ５０の後述するフランジ部５５を、頭部６１の、基部２１の表面２１ｂ側から裏面２１ａ側への押し込み方向に交差する方向から挿入可能とするものである。
【００２８】
また、図２及び図３に示すように、切欠き部２３の幅方向両側の、基部２１の裏面２１ａ側には、凹状をなした係止凹部４７，４７が形成されている。この係止凹部４７，４７には、図１１や図１２（Ｃ）に示すように、ピン部材６０の後述する係止片８１の先端部８１ａが係止することで、基部２１の切欠き部２３に、ピン部材６０の頭部６１が嵌合した状態に保持される。
【００２９】
次に、図６を参照してクリップ５０について説明する。
【００３０】
この実施形態のクリップ５０は、金属製であって、中央部が平板状で、その両端が斜めに屈曲した略台形状をなす基部５１と、該基部５１の両端から互いに平行となるように延出した側部５３，５３とを有する、全体として略コ字枠状をなしている。各側部５３の延出方向先端部には、外方に向けて屈曲形成されたフランジ部５５がそれぞれ設けられている。
【００３１】
また、各側部５３には、略コ字状をなしたスリット５６を介して、弾性変形可能とされ、前記取付孔３の裏側周縁に係合する弾性係合片５７がそれぞれ形成されている。各弾性係合片５７は、その基端が側部５３に連結されると共に、前記フランジ部５５側に向けて斜め外方に傾斜して延びる傾斜部５７ａと、該傾斜部５７ａの先端からフランジ部５５側に向けて斜め内方に屈曲し、取付孔３の裏側周縁に係合する係合部５７ｂと、該係合部５７ｂの先端側の屈曲部５７ｃから、フランジ部５５側に向けて斜め外方に折り返されてなる自由端部５７ｄとから構成されている。
【００３２】
なお、この実施形態では、ベース部材２０とは別体のクリップ５０に弾性係合片５７を設けたが、ベース部材２０に対して、弾性係合片５７を一体的に設けてもよく、特に限定はされない。
【００３３】
次に、図７〜９を参照してピン部材６０について説明する。
【００３４】
この実施形態のピン部材６０は、ベース部材２０の切欠き部２３に嵌合する頭部６１と、該頭部６１の裏面側から延出して、ベース部材２０の基部２１の裏面２１ａ側から前記支持部３３に組付けられる組付部６３とを有している。
【００３５】
頭部６１は、ベース部材２０の切欠き部２３に嵌合する長尺形状をなしており、また、組付部６３は、ベース部材２０の支持部３３を囲む枠状をなしている。なお、頭部６１が切欠き部２３に「嵌合」とは、頭部６１が切欠き部２３に嵌り込み、かつ、切欠き部２３に係合した状態を意味する。図７及び図８（Ａ）に示すように、該組付部６３は、頭部６１よりも幅狭で、その裏面側から立設した立壁６５と、該立壁６５の長手方向両端から互いに平行に延出し、かつ、頭部６１の長手方向に沿った端縁部６１ａよりも頭部外方に突出する側壁６７，６７と、側壁６７，６７の延出方向先端から、互いに近接する方向となるように直角に屈曲した保持壁６９，６９とを有する、矩形枠状をなしている。
【００３６】
更に、保持壁６９，６９の間には、前記ベース部材２０のリブ３９がスライド可能に挿入されるスリット７１が、頭部６１の立設方向に沿って形成されている。すなわち、このスリット７１に前記リブ３９が挿入されることで、組付部６３が基部２１の裏面２１ａ側から表面２１ｂ側に押し込まれるときや（図１３（Ａ），（Ｂ）参照）、頭部６１が切欠き部２３に整合する方向に押し込まれるとき（図１３（Ｂ），（Ｃ）参照）、頭部６１が基部２１の表面２１ｂ側から裏面２１ａ側に押し込まれるときに（図１４（Ｂ），（Ｃ）参照）、ピン部材６０のスライドをガイドする。
【００３７】
そして、上記組付部６３は、頭部６１がベース部材２０の基部２１の表面２１ｂから突出した状態で、基部２１の裏面２１ａに係合して（ここでは、図１３（Ｅ）に示すように、保持壁６９の頭部６１側の端面が基部２１の裏面２１ａに係合する）、クリップ５０の弾性係合片５７を弾性変形可能とし、頭部６１がベース部材２０の切欠き部２３に嵌合した状態で、クリップ５０の弾性係合片５７の縮径方向の弾性変形を規制するように構成されている。
【００３８】
すなわち、頭部６１がベース部材２０の基部２１の表面２１ｂから突出し、組付部６３を構成する保持壁６９の頭部６１側の端面が、基部２１の裏面２１ａに係合した状態では（図１３（Ｅ）参照）、図１０や図１２（Ｂ）の想像線で示すように、各側壁６７が、クリップ５０の各弾性係合片５７の屈曲部５７ｃの内側に位置しないために、各弾性係合片５７が弾性変形可能となる。一方、この状態からピン部材６０の頭部６１を基部２１の表面２１ｂ側から裏面２１ａ側に向けて押し込んで、頭部６１がベース部材２０の切欠き部２３に嵌合した状態では、図１１や図１２（Ｂ）に示すように、組付部６３の各側壁６７が、クリップ５０の各弾性係合片５７の屈曲部５７ｃの内側に位置することで、各弾性係合片５７の縮径方向の弾性変形が規制される。
【００３９】
また、上記組付部６３は、頭部６１がベース部材２０の基部２１の表面２１ｂから突出した状態で、該頭部６１が前記突出した状態を維持しつつ、ベース部材２０の切欠き部２３に整合するように（図１３（Ｅ）参照）、頭部６１の、基部２１の表面２１ｂ側から裏面２１ａ側への押し込み方向に交差する方向（ここでは押し込み方向に交差し且つ基部２１と平行な方向）にスライド可能に、支持部３３に組付けられている（図１３（Ｂ），（Ｃ）参照）。なお、頭部６１が切欠き部２３に「整合」とは、基部２１を表面２１ｂ側から見たときに、切欠き部２３の内側周縁部に、頭部６１の外側周縁部がほぼ一致し、頭部６１を基部２１の表面２１ｂ側から裏面２１ａ側に向けて押し込んだときに、頭部６１が切欠き部２３に嵌合可能な位置であることを意味する（図１０参照）。
【００４０】
更に、上記のように、頭部６１がベース部材２０の基部２１の表面２１ｂから突出した状態で、該頭部６１が前記突出した状態を維持しつつ、ベース部材２０の切欠き部２３に整合するように、頭部６１の、基部２１の表面２１ｂ側から裏面２１ａ側への押し込み方向に交差する方向にスライドしたときには（図１３（Ｂ），（Ｃ）参照）、図４（Ｂ）の想像線で示すように、ベース部材２０の保持突部４１の内側に配置された、組付部６３の保持壁６９が、ベース部材２０の保持突部４１をクリック感を伴って乗り越えて、保持突部４１の外側に係合して、その状態が保持される（図１３（Ｅ）参照）。すなわち、この実施形態では、この保持壁６９と保持突部４１とが、ベース部材とピン部材との間に設けられた本発明における「保持手段」をなしている。なお、「保持手段」としては、この構造に限定されるものではない。
【００４１】
また、図８（Ｂ）に示すように、頭部６１の裏面側には、ガイド突部７７が設けられている。図８（Ａ）及び図９（Ｂ）を併せて参照すると、前記一対の側壁６７，６７の内面側であって、前記立壁６５に対して所定隙間を空けて、頭部６１の裏面側からガイド突部７７がそれぞれ突設されている。これらのガイド突部７７，７７が、図１３（Ｅ）に示すように、ピン部材６０の頭部６１がベース部材２０の基部２１の表面２１ｂから突出した状態で、頭部６１が基部２１の表面２１ｂ側から裏面２１ａ側に向けて押されたときに、ベース部材２０に設けたガイド溝３７，３７にそれぞれ入り込んで、ピン部材６０のスライドがガイドされる。
【００４２】
更に、図７及び図８（Ａ）に示すように、頭部６１の裏面側の、幅方向の両側部６１ｂ，６１ｂであって、端縁部６１ａに近接した位置には、ベース部材２０のクリップ取付部４３，４３の表面側に当接可能とされた、凸部７９，７９が突設されている。更に、頭部６１の裏面側の、幅方向の両側部６１ｂ，６１ｂであって、前記凸部７９から離れた位置からは、ベース部材２０の切欠き部２３に設けた係止凹部４７，４７に係止する係止片８１，８１が突設されている（図７参照）。図７に示すように、各係止片８１は、その突出方向の先端部８１ａが、頭部６１の両側部６１ｂから突出しており、該先端部８１ａが前記係止凹部４７に係止するようになっている（図１１参照）。
【００４３】
次に、上記構造からなる留め具１０の使用方法及び作用効果について説明する。
【００４４】
すなわち、図１に示すように、ベース部材２０の裏面２１ａ側において、ベース部材２０の支持部３３やリブ３９に、ピン部材６０の組付部６３やスリット７１を整合させて、図１３（Ａ）に示すように、ベース部材２０の基部２１の裏面２１ａ側から、ピン部材６０を押し込んで組付けていく。すると、支持部３３が組付部６３内に入り込むと共に、スリット７１にリブ３９が挿入され、支持部３３の斜面３５によって、組付部６３の保持壁６９，６９がガイドされながら押し込まれていく。そして、ピン部材６０の頭部６１が、ベース部材２０の切欠き部２３を通過して、同頭部６１が、基部２１の表面２１ｂから突出すると共に、組付部６３の保持壁６９の頭部６１側の端面が、基部２１の裏面２１ａに係合して（図４（Ｂ）参照）、頭部６１が基部２１の表面２１ｂから突出した状態となる（図１３（Ｂ）参照）。このとき、頭部６１は、切欠き部２３とは整合していない状態となっている。
【００４５】
上記のように、頭部６１が基部２１の表面２１ｂから突出した状態で、その状態を維持しつつ、図１３（Ｂ）の矢印に示すように、組付部６３を、ベース部材２０の切欠き部２３に整合するように、頭部６１の、基部２１の表面２１ｂ側から裏面２１ａ側への押し込み方向に交差し、基部２１に対して平行な方向にスライドさせる。すると、組付部６３の保持壁６９が、ベース部材２０の保持突部４１をクリック感を伴って乗り越えて、保持突部４１の外側に係合すると共に、支持部３３の当接面３４に組付部６３の立壁６５が当接して、頭部６１が基部２１の表面２１ｂから突出し、かつ、頭部６１が切欠き部２３に整合した状態に維持されて、支持部３３に組付部６３が組付けられる（図１３（Ｃ）及び図１３（Ｅ）参照）。なお、この状態では、ピン部材６０のガイド突部７７が、支持部３３に形成されたガイド溝３７に挿入可能な位置に配置されている。
【００４６】
上記状態で、ベース部材２０の切欠き部２３の内側に設けた取付溝４５，４５に、クリップ５０のフランジ部５５，５５を整合させて（図１参照）、図１３（Ｃ）の矢印に示すように、クリップ５０を、頭部６１の、基部２１の表面２１ｂ側から裏面２１ａ側への押し込み方向に交差する方向から押し込んでいく。すると、図１０に示すように、クリップ５０の側部５３，５３が、ベース部材２０のクリップ取付部４３と組付部６３の側壁６７との間に挿入されて挟持されると共に、フランジ部５５，５５が取付溝４５，４５に保持されて、ベース部材２０にクリップ５０が装着される（図１０及び図１３（Ｄ）参照）。この状態では、組付部６３の各保持壁６９が、クリップ５０の各弾性係合片５７の屈曲部５７ｃの内側に位置しないために、各弾性係合片５７が弾性変形可能となっている（図１０及び図１２（Ｂ）の想像線参照）。
【００４７】
そして、図１４（Ａ）に示すように、被取付部材１の取付孔３に、ベース部材２０を、引き掛け部２５側から斜めに挿入して、同引き掛け部２５を取付孔３の裏側に係合した後、クリップ５０を取付孔３に向けて押し込んでいく。すると、弾性変形可能な弾性係合片５７の傾斜部５７ａが取付孔３の内周に押圧されて、弾性係合片５７が撓んでいき、その傾斜部５７ａを通り越えて係合部５７ｂが取付孔３の裏側に至ると、弾性係合片５７が弾性復帰して、その係合部５７ｂが取付孔３の裏側周縁に係合するので、取付孔３の裏側に配置された引き掛け部２５と協働して、取付孔３に留め具１０を仮固定することができる（図１４（Ｂ）参照）。
【００４８】
その後、図１４（Ｂ）の矢印に示すように、ピン部材６０の頭部６１を、ベース部材２０の基部２１の、表面２１ｂ側から裏面２１ａ側に向けて押し込んでいくと、ピン部材６０のガイド突部７７，７７が、支持部３３に形成されたガイド溝３７，３７にそれぞれ挿入されて、支持部３３に対して組付部６３がガイドされながら押し込まれていき、切欠き部２３に頭部６１が嵌合するまで押し込むと、組付部６３の各側壁６７が、クリップ５０の各弾性係合片５７の屈曲部５７ｃの内側に位置して、各弾性係合片５７の縮径方向の弾性変形が規制されて（図１２（Ｂ）参照）、取付孔３に留め具１０を本固定することができる（図１４（Ｃ）参照）。この状態では、頭部６１の凸部７９，７９（図８（Ａ）参照）がベース部材２０のクリップ取付部４３，４３の表面側に当接すると共に、ピン部材６０の各係止片８１の先端部８１ａが、切欠き部２３の内側の各係止凹部４７にそれぞれ係止して、切欠き部２３に頭部６１が嵌合した状態に抜け止め保持させることができる（図１１及び図１２（Ｃ）参照）。なお、この実施形態では、留め具１０を介して、被取付部材１に取付部材４を取付けることができる（図１２（Ａ），（Ｂ）参照）。
【００４９】
その後、図１４（Ｃ）に示すように、サンバイザのシャフト５をベース部材２０の表面２１ｂ側のシャフト挿通孔２７に通して、シャフト支持部２９に挿通させて支持させることで、サンバイザのシャフト５を回転可能に支持することができる。
【００５０】
以上のように、この留め具１０においては、上述したように、ピン部材６０の組付部６３が、基部２１の裏面２１ａ側から組付けられ、頭部６１が基部２１の表面２１ｂから突出した状態で、基部２１の裏面２１ａに係合するようになっている（ここでは、保持壁６９の頭部６１側の端面が基部２１の裏面２１ａに係合する）。そのため、ベース部材２０の切欠き部２３に、ピン部材６０の頭部６１を嵌合させる前（すなわち、取付孔３への留め具１０の本固定前）に、ベース部材２０からピン部材６０が引き抜かれるような引き抜き力が、ピン部材６０に作用しても、ピン部材６０の頭部６１が、ベース部材２０の基部２１の表面２１ｂに対して離間する方向へ移動することが規制され、ベース部材２０からピン部材６０が分離してしまうことを確実に防止することができる。また、取付孔３に留め具１０を本固定した後に、例えば、メンテナンス等で、留め具１０を被取付部材１の取付孔３から取外す必要が生じた際に、ピン部材６０にベース部材２０の裏面側から表面側に向けて引き抜き力が作用しても、ベース部材２０からピン部材６０が分離してしまうことを確実に防止することができる。
【００５１】
また、この実施形態においては、組付部６３は、支持部３３を囲む枠状をなし、支持部３３は、基部２１の裏面２１ａ側であって切欠き部２３の内周から、基部２１の裏面２１ａから離れる方向であって、基部２１の切欠き部２３が設けられていない他端部に対して離れる方向に延出されて、基部２１の裏面２１ａ側から見て、切欠き部２３より露出しており（図３参照）、該支持部３３が組付部６３の内側に挿入され、支持部３３に対して組付部６３を、基部２１の裏面２１ａ側から表面２１ｂ側に向けて押し込み可能に支持するようになっている。そのため、基部２１の裏面２１ａ側から、枠状をなした組付部６３の内側に支持部３３を挿入して、組付部６３を基部２１の裏面２１ａ側から表面２１ｂ側に向けて押し込んでいくと、支持部３３に対して組付部６３が支持されつつ押し込むことができるので、ピン部材６０の頭部６１を、基部２１の表面２１ｂにスムーズに突出させることができ（図１３（Ａ），（Ｂ）参照）、ベース部材２０に対するピン部材６０の組付け作業性を向上させることができる。また、基部２１の裏面２１ａ側から見て、切欠き部２３より露出しているので、ベース部材２０にピン部材６０を組付けるべく、組付部６３を基部２１の裏面２１ａ側から表面２１ｂ側に押し込むときに、頭部６１を基部２１に干渉しにくくすることができ、組付け作業性を向上させることができる。
【００５２】
更にこの実施形態においては、支持部３３の延出方向に延びるリブ３９が設けられており、該リブ３９が、組付部６３のスリット７１に、スライド可能に挿入されるようになっている。そのため、ベース部材２０にピン部材６０を組付けるべく、組付部６３が基部２１の裏面２１ａ側から表面２１ｂ側に押し込まれるときや（図１３（Ａ），（Ｂ）参照）、頭部６１が切欠き部２３に整合する方向に押し込まれるときに（図１３（Ｂ），（Ｃ）参照）、ピン部材６０のスライドをガイドして、ベース部材２０に対するピン部材６０の組付け作業性を向上することができると共に、取付孔３に留め具１０を本固定すべく、基部２１の表面２１ｂ側から頭部６１が突出した状態で、頭部６１を基部２１の表面２１ｂ側から裏面２１ａ側に向けて押し込んでいくときにも、ピン部材６０のスライドをガイドすることができ（図１４（Ｂ），（Ｃ）参照）、取付孔３に対する留め具１０の固定作業性も向上させることができる。
【００５３】
また、この実施形態においては、支持部３３及び／又は組付部６３には、ピン部材６０を基部２１の裏面２１ａ側から組付ける際に、ピン部材６０の頭部６１をベース部材２０の切欠き部２３の内側に引き寄せる、斜面が設けられている。ここでは、支持部３３側に斜面３５が設けられている（図４（Ｂ）参照）。そのため、基部２１の裏面２１ａ側から支持部３３に組付部６３を組付けるべく、ピン部材６０を押し込んでいくと、上記斜面３５によって、ピン部材６０の頭部６１がベース部材２０の切欠き部２３の内側に引き寄せられるので（図１３（Ｂ）参照）、頭部６１を切欠き部２３に整合させやすくすることができ、ベース部材２０にピン部材６０を組付けやすくなる。また、基部２１の切欠き部２３の内側に頭部６１をオーバーラップさせることできるので（重ね合わせることができる）、頭部６１を基部２１の表面２１ｂから突出した状態に維持しやすくなる。
【００５４】
更にこの実施形態においては、ピン部材６０の頭部６１の裏面側には、ガイド突部７７が設けられており、支持部３３には、組付部６３によって、頭部６１が基部２１の表面２１ｂから突出した状態で、頭部６１が基部２１の表面２１ｂ側から裏面２１ａ側に向けて押されたときに、ガイド突部７７を入り込ませてガイドするガイド溝３７が、切欠き部２３に連通して形成されている（図１３（Ｅ）参照）。すなわち、組付部６３によって、頭部６１が基部２１の表面２１ｂから突出した状態で、頭部６１が基部２１の表面２１ｂ側から裏面２１ａ側に向けて押されたときに、ピン部材６０のガイド突部７７が、支持部３３のガイド溝３７に入り込んでガイドされるので、頭部６１を切欠き部２３に嵌合させやすくすることができると共に、頭部６１が切欠き部２３に嵌合した状態で、ピン部材６０のガイド突部７７が支持部３３のガイド溝３７に入り込むので、頭部６１が切欠き部２３から位置ずれしにくくすることができる。
【００５５】
また、この実施形態においては、組付部６３は、頭部６１が基部２１の表面２１ｂから突出した状態で、頭部６１が突出した状態を維持しつつ切欠き部２３に整合するように、頭部６１の、基部２１の表面２１ｂ側から裏面２１ａ側への押し込み方向に交差する方向にスライド可能に、支持部３３に組付けられているので（図１３（Ｂ），（Ｃ），（Ｅ）参照）、頭部６１が基部２１の表面２１ｂから突出し、かつ、切欠き部２３に整合した状態にして、ピン部材６０を基部２１の表面２１ｂ側から裏面２１ａ側に向けて押し込むことにより、頭部６１を切欠き部２３にスムーズに嵌合させることでき、取付孔３に留め具１０を本固定するときの、ピン部材６０の押し込み作業を容易に行うことができる（図１４（Ｂ），（Ｃ）参照）。
【００５６】
更にこの実施形態においては、ベース部材２０とピン部材６０との間には、頭部６１が基部２１の表面２１ｂから突出した状態で、同頭部６１が切欠き部２３に整合した状態に保持する、保持手段（ここでは、ベース部材２０側の保持突部４１及びピン部材６０側の保持壁６９）が設けられている（図１３（Ｅ）参照）。そのため、ベース部材２０とピン部材６０との間に設けた保持手段によって、ベース部材２０に設けた弾性係合片５７を、取付孔３に挿入するときに、頭部６１が切欠き部２３から位置ずれすることを防止して、頭部６１が基部２１の表面２１ｂから突出し、かつ、切欠き部２３に頭部６１が整合した状態に保持することができるので（図１３（Ｅ）参照）、取付孔３に留め具１０を本固定するときの、ピン部材６０の押し込み作業性をより向上させることができる。
【００５７】
また、この実施形態においては、弾性係合片５７は、ベース部材２０とは別体に設けられた、フランジ部５５を有するクリップ５０からなり、ベース部材２０の切欠き部２３には、頭部６１が基部２１の表面２１ｂから突出した状態で、クリップ５０のフランジ部５５を、頭部６１の、基部２１の表面２１ｂ側から裏面２１ａ側への押し込み方向に交差する方向から挿入可能とする取付溝４５が形成されている。そのため、頭部６１が基部２１の表面２１ｂから突出した状態で、ベース部材２０とは別体のクリップ５０のフランジ部５５を、図１３（Ｃ）に示すように、取付溝４５に対して、頭部６１の、基部２１の表面２１ｂ側から裏面２１ａ側への押し込み方向に交差する方向から挿入することで、クリップ５０をベース部材２０に装着することができ（図１０参照）、また、頭部６１を切欠き部２３に嵌合した状態では、取付溝４５が頭部６１によって覆われるので（図１１参照）、クリップ５０がベース部材２０から脱落することを確実に防止することができる。更に、クリップ５０はベース部材２０とは別体であるので、例えば、クリップ５０を金属で形成することによって、取付孔３の裏側周縁に対して高い保持力を得ることができる。
【００５８】
更にこの実施形態においては、基部２１には、その一端部に切欠き部２３が形成され、切欠き部２３とは反対側の他端部に、取付孔３の裏側に係合する引き掛け部２５が設けられているので、取付孔３の裏側周縁に係合する弾性係合片５７を、基部２１の一端部の、より周縁側に配置することができ、その結果、基部２１の他端部に設けられ、取付孔３の裏側に配置される引き掛け部２５と協働して、取付孔３に対して留め具１０をより安定して固定することができる（図１４（Ｃ）参照）。
【００５９】
図１５〜１８には、本発明に係る留め具の、他の実施形態が示されている。なお、前記実施形態と実質的に同一部分には同符号を付してその説明を省略する。
【００６０】
図１５に示すように、この実施形態の留め具１０Ａは、ベース部材２０Ａに、弾性係合片５７Ａが一体に形成されていると共に、ベース部材２０Ａ及びピン部材６０Ａが、前記実施形態のベース部材２０やピン部材６０に比べて、簡略化した構造となっている。
【００６１】
ベース部材２０Ａの基部２１は、略円形板状をなしており、その周方向所定箇所に、所定幅で切欠き部２３Ａが形成されている。基部２１の裏面２１ａ側であって、切欠き部２３Ａの周縁からは、切欠き部２３Ａの内側に出っ張って、同切欠き部２３Ａより露出するように、支持部３３Ａが設けられている。また、基部２１の裏面２１ａ側であって、前記支持部３３Ａの両側には、一対の弾性係合片５７Ａ，５７Ａが立設されている。各弾性係合片５７Ａの立設方向先端部の内側からは、押圧突部５７ｅがそれぞれ突設されている。また、図１８（Ｂ）に示すように、支持部３３Ａのリブ３９の側面には、傾斜した突条をなした保持突部４１Ａが設けられている。一方、ピン部材６０Ａは、ベース部材２０Ａの切欠き部２３Ａに嵌合する頭部６１Ａと、支持部３３Ａに組付けられる矩形枠状の組付部６３Ａとを有しており、組付部６３Ａを構成する保持壁６９は傾斜した形状をなしている。
【００６２】
そして、基部２１の切欠き部２３Ａに頭部６１Ａを整合させて、基部２１の裏面２１ａ側からピン部材６０Ａを組付けていくと、支持部３３Ａに組付部６３Ａがガイドされながら押し込まれ、切欠き部２３Ａを通過して頭部６１Ａが、基部２１の表面２１ｂから突出すると共に、保持壁６９の頭部６１側の端面が基部２１の裏面２１ａに係合し、更に、組付け部６３を、頭部６１Ａの、基部２１の表面２１ｂ側から裏面２１ａ側への押し込み方向に交差する方向にスライドさせて、切欠き部２３Ａに頭部６１Ａを整合させることで、組付部６３Ａの立壁６５が支持部３３Ａに当接し、保持壁６９の内面が支持部３３Ａの保持突部４１Ａに係止して、頭部６１Ａが基部２１の表面２１ｂから突出した状態に保持される（図１６及び図１８（Ｂ）参照）。この状態では、組付部６３の側壁６７，６７の先端部が、弾性係合片５７Ａ，５７Ａの押圧突部５７ｅ，５７ｅの内側に位置しないので、弾性係合片５７Ａ，５７Ａが弾性変形可能となっている。
【００６３】
そして、この状態で、図示しない取付孔に留め具１０Ａの弾性係合片５７Ａ，５７Ａを挿入して、ピン部材６０Ａの頭部６１Ａを、ベース部材２０Ａの基部２１の表面２１ｂ側から裏面２１ａ側に向けて押し込むと、ピン部材６０Ａのガイド突部７７が支持部３３Ａに設けたガイド溝３７に挿入されてガイドされながら押し込まれていき、切欠き部２３Ａに頭部６１Ａが嵌合するまで押し込むと、組付部６３Ａの側壁６７，６７によって、押圧突部５７ｅが押圧されて一対の弾性係合片５７Ａ，５７Ａが内側から押し広げられて、その縮径方向の弾性変形が規制されるので（図１７参照）、取付孔３に留め具１０Ａを本固定することができる。
【００６４】
なお、本発明は、上述した実施形態に限定されるものではなく、本発明の要旨の範囲内で、各種の変形実施形態が可能であり、そのような実施形態も本発明の範囲に含まれる。
【符号の説明】
【００６５】
１  被取付部材
３  取付孔
１０，１０Ａ  留め具
２０，２０Ａ  ベース部材
２１  基部
２１ａ  裏面
２１ｂ  表面
２３，２３Ａ  切欠き部
２５  引き掛け部
３３，３３Ａ  支持部
３５  斜面
３７  ガイド溝
３９  リブ
４５  取付溝
５０  クリップ
５５  フランジ部
５７，５７Ａ  弾性係合片
６０，６０Ａ  ピン部材
６１，６１Ａ  頭部
６３，６３Ａ  組付部
７１  スリット
【図１】
2017211070.tif 000003
【図２】
2017211070.tif 000004
【図３】
2017211070.tif 000005
【図４】
2017211070.tif 000006
【図５】
2017211070.tif 000007
【図６】
2017211070.tif 000008
【図７】
2017211070.tif 000009
【図８】
2017211070.tif 000010
【図９】
2017211070.tif 000011
【図１０】
2017211070.tif 000012
【図１１】
2017211070.tif 000013
【図１２】
2017211070.tif 000014
【図１３】
2017211070.tif 000015
【図１４】
2017211070.tif 000016
【図１５】
2017211070.tif 000017
【図１６】
2017211070.tif 000018
【図１７】
2017211070.tif 000019
【図１８】
2017211070.tif 000020